(57)【要約】      （修正有）【課題】特定の机と組み合わせなくても、対面配置された二台の机の境界部分に設置することができるだけでなく、装置の小型化及びコストダウンを図る照明装置及び照明システムを提供する。【解決手段】照明装置１Ａは、対面配置された二台の机の境界部分に設置される門型のスタンドフレーム１０を備える。スタンドフレーム１０が、机の天板３の部分から立ち上がる左右一対の支柱部材３０と、支柱部材３０の上端部間に架設される梁部材４０と、梁部材４０に沿うように直管形ＬＥＤランプ２１からなる光源２０が取り付けられる光源取り付け部５０と、左右の支柱部材３０の下端部にそれぞれ設けられる固定部８０と、を備える。固定部８０が、対面配置された二台の机のうち、一方の机の天板３の端部に固定される第一固定部と、他方の机の天板３の端部に固定される第二固定部と、を一体的に備える。【選択図】図３
0003177398.tif 000002
【実用新案登録請求の範囲】
【請求項１】
対面配置された二台の机の境界部分に設置される門型のスタンドフレームと、
前記スタンドフレームに取り付けられて二台の前記机の上を照らす光源と、を備える照明装置であって、
前記スタンドフレームが、
前記机の天板部分から立ち上がる左右一対の支柱部材と、
前記支柱部材の上端部間に架設される梁部材と、
前記梁部材に沿うように直管形ＬＥＤランプからなる光源が取り付けられる光源取り付け部と、
左右の前記支柱部材の下端部にそれぞれ設けられる固定部と、を備え、
前記固定部が、対面配置された二台の前記机のうち、一方の前記机の天板端部に固定される第一固定部と、他方の前記机の天板端部に固定される第二固定部と、を一体的に備えることを特徴とする照明装置。
【請求項２】
前記第一固定部が、前記天板端部を上下から挟むクランプ式の固定部であり、
前記第二固定部が、前記天板端部に上方から係合する係合式の固定部であることを特徴とする請求項１に記載の照明装置。
【請求項３】
前記第一固定部が、前記天板端部の上面に沿う上片と、前記天板端部の下面に沿う下片と、前記上片と前記下片を連結する連結片とを一体的に備え、
前記連結片が、二台の前記机の天板間に挟まれることを特徴とする請求項２に記載の照明装置。
【請求項４】
前記第一固定部が、前記天板端部の挟み力を調整する第一調整ネジを備え、
前記第二固定部が、前記天板端部との距離を調整する第二調整ネジを備え、
前記第一調整ネジ及び前記第二調整ネジの操作部が、前記天板よりも上側に配置されることを特徴とする請求項２又は３に記載の照明装置。
【請求項５】
前記光源取り付け部が、
主に下方を照らす下方照明用の直管形ＬＥＤランプが取り付けられる第一光源取り付け部と、
主に上方を照らす上方照明用の直管形ＬＥＤランプが取り付けられる第二光源取り付け部と、を備えることを特徴とする請求項１〜４のいずれか一項に記載の照明装置。
【請求項６】
対面配置された二台の机が、対面方向と直交する方向に複数並ぶ机配置において、
対面配置された二台の机の境界部分に、それぞれ請求項１〜５のいずれか一項に記載の照明装置を設置し、複数の前記照明装置を、前記対面方向と直交する方向に直列状に配置したことを特徴とする照明システム。
【請求項７】
直列状に配置される複数の前記照明装置が、
下方照明用の直管形ＬＥＤランプ及び上方照明用の直管形ＬＥＤランプを備える第一照明装置と、
下方照明用の直管形ＬＥＤランプのみを備える第二照明装置と、を含み、
前記第一照明装置が、前記第二照明装置を挟んで間欠的に配置されることを特徴とする請求項６に記載の照明システム。
【考案の詳細な説明】
【技術分野】
【０００１】
本考案は、机が対面配置されるオフィスなどに適した照明装置及び照明システムに関し、詳しくは、対面配置された机の境界部分に設置される「ＬＥＤ直管  大型スタンド」タイプの照明装置及び照明システムに関する。
【背景技術】
【０００２】
近年、対面配置された机の境界部分に設置される門型のスタンドフレームを備えた照明装置が提案されている（例えば、特許文献１参照）。この種の照明装置は、対面配置された机の上を効率良く照らすことができるので、多くの机が対面配置されるオフィスなどでは、天井照明に頼らない照明システムの構築が可能になり、天井照明の廃止や削減、ひいては大幅な節電を実現できるという利点がある。
【０００３】
しかしながら、特許文献１に示される照明装置は、デスクシステムの一部であって、特定の机と組み合わせて使用することが前提となっているので、照明装置としては汎用性が極めて低く、既に一般的な事務机が設置されたオフィスなどには導入することができないという問題があった。
【０００４】
そこで、床面上に自立可能な門型のスタンドフレームを備える照明装置が提案されている（例えば、特許文献２参照）。このような照明装置によれば、特定の机と組み合わせなくても、対面配置された二台の机の境界部分に設置することができるので、既に一般的な事務机が設置されたオフィスなどにも導入することが可能になる。
【先行技術文献】
【特許文献】
【０００５】
【特許文献１】特開２０１０−１７４８８号公報
【特許文献２】特開２０１１−２２２３４２号公報
【考案の概要】
【考案が解決しようとする課題】
【０００６】
しかしながら、特許文献２に示されるように、床面上に自立可能な門型のスタンドフレームは、長尺な支柱部材や大型の脚ベースを備える必要があるので、装置が大型になり、コスト高になるという問題があった。
また、特許文献２に示される照明装置は、対面配置される二台の机の間に支柱部材を挟む配置となるので、二台の机の間に大きな隙間が生じるという問題もあった。
【０００７】
本考案は、上記の事情にかんがみなされたものであり、門型のスタンドフレームを備えるものでありながら、特定の机と組み合わせなくても、対面配置された二台の机の境界部分に設置することができるだけでなく、長尺な支柱部材や大型の脚ベースを不要とし、装置の小型化及びコストダウンを図ることができる照明装置及び照明システムの提供を目的とする。
【課題を解決するための手段】
【０００８】
上記目的を達成するため本考案の照明装置は、対面配置された二台の机の境界部分に設置される門型のスタンドフレームと、前記スタンドフレームに取り付けられて二台の前記机の上を照らす光源と、を備える照明装置であって、前記スタンドフレームが、前記机の天板部分から立ち上がる左右一対の支柱部材と、前記支柱部材の上端部間に架設される梁部材と、前記梁部材に沿うように直管形ＬＥＤランプからなる光源が取り付けられる光源取り付け部と、左右の前記支柱部材の下端部にそれぞれ設けられる固定部と、を備え、前記固定部が、対面配置された二台の前記机のうち、一方の前記机の天板端部に固定される第一固定部と、他方の前記机の天板端部に固定される第二固定部と、を一体的に備える構成としてある。
このような照明装置によれば、スタンドフレームの固定部は、机の天板端部に固定されるので、特定の机と組み合わせなくても、対面配置された二台の机の境界部分に設置することができるだけでなく、長尺な支柱部材や大型の脚ベースを不要とし、装置の小型化及びコストダウンを図ることができる。しかも、固定部は、第一及び第二の固定部を備え、二台の机の天板端部に固定されるので、いずれか一方の机の天板端部に固定する場合に比べ、スタンドフレームの固定強度を高めることができる。
【０００９】
また、請求項２の照明装置は、前記第一固定部が、前記天板端部を上下から挟むクランプ式の固定部であり、前記第二固定部が、前記天板端部に上方から係合する係合式の固定部としてある。
このような照明装置によれば、一方の机の天板端部にクランプ式の第一固定部で固定しつつ、他方の机の天板端部に第二固定部を係合させてスタンドフレームの対面方向の倒れを防止することができる。しかも、第一固定部及び第二固定部をいずれもクランプ式にする場合に比べ、構造が簡略になるだけでなく、二台の机における天板の高さや厚みの違いを容易に吸収することができる。
【００１０】
また、請求項３の照明装置は、前記第一固定部が、前記天板端部の上面に沿う上片と、前記天板端部の下面に沿う下片と、前記上片と前記下片を連結する連結片とを一体的に備え、前記連結片が、二台の前記机の天板間に挟まれる構成としてある。
このような照明装置によれば、第一固定部の外れ方向の変位を他方の机を利用して規制することができる。しかも、二台の机の天板間には、連結片のみが挟まれるので、支柱部材を挟む場合のように、二台の机の間に大きな隙間が生じることもない。
【００１１】
また、請求項４の照明装置は、前記第一固定部が、前記天板端部の挟み力を調整する第一調整ネジを備え、前記第二固定部が、前記天板端部との距離を調整する第二調整ネジを備え、前記第一調整ネジ及び前記第二調整ネジの操作部が、前記天板よりも上側に配置される構成としてある。
このような照明装置によれば、第一調整ネジ及び第二調整ネジの操作を天板の上側から行なうことができるので、机の下に潜り込む作業を減らし、設置時や調整時の作業性を向上させることができる。
【００１２】
また、請求項５の照明装置は、前記光源取り付け部が、主に下方を照らす下方照明用の直管形ＬＥＤランプが取り付けられる第一光源取り付け部と、主に上方を照らす上方照明用の直管形ＬＥＤランプが取り付けられる第二光源取り付け部と、を備える構成としてある。
このような照明装置によれば、机の上だけでなく、天井も照らすことができるので、天井照明の廃止や削減を促進することができる。
【００１３】
また、上記目的を達成するため本考案の照明システムは、対面配置された二台の机が、対面方向と直交する方向に複数並ぶ机配置において、対面配置された二台の机の境界部分に、それぞれ請求項１〜５のいずれか一項に記載の照明装置を設置し、複数の前記照明装置を、前記対面方向と直交する方向に直列状に配置した構成としてある。
このような照明システムによれば、本考案の照明装置を直列状に配置して多くの机の上を効率良く照らすことができる。
【００１４】
また、請求項７の照明システムは、直列状に配置される複数の前記照明装置が、下方照明用の直管形ＬＥＤランプ及び上方照明用の直管形ＬＥＤランプを備える第一照明装置と、下方照明用の直管形ＬＥＤランプのみを備える第二照明装置と、を含み、前記第一照明装置が、前記第二照明装置を挟んで間欠的に配置される構成としてある。
このような照明システムによれば、机の上だけでなく、天井も照らすことができるので、天井照明の廃止や削減を促進することができる。しかも、上方照明ありの第一照明装置は、上方照明なしの第二照明装置を挟んで間欠的に配置されるので、すべてを第一照明装置とする場合に比べてコストを削減できるだけでなく、設置場所に応じて第一照明装置と第二照明装置の比率を変更し、上方照明の照度を最適化することができる。
【考案の効果】
【００１５】
以上のように、本考案によれば、門型のスタンドフレームを備えるものでありながら、特定の机と組み合わせなくても、対面配置された二台の机の境界部分に設置することができるだけでなく、長尺な支柱部材や大型の脚ベースを不要とし、装置の小型化及びコストダウンを図ることができる。
【図面の簡単な説明】
【００１６】
【図１】本考案の第一実施形態に係る照明装置の平面図である。
【図２】本考案の第一実施形態に係る照明装置の正面図である。
【図３】本考案の第一実施形態に係る照明装置の側面図である。
【図４】本考案の第一実施形態に係る照明装置の固定部を示す拡大図であり、（ａ）は拡大平面図、（ｂ）は拡大側面図である。
【図５】本考案の第二実施形態に係る照明装置の平面図である。
【図６】本考案の第二実施形態に係る照明装置の正面図である。
【図７】本考案の第二実施形態に係る照明装置の側面図である。
【図８】本考案の実施形態に係る照明システムの一例を示す概略正面図である。
【考案を実施するための形態】
【００１７】
以下、本考案の実施形態について、図面を参照して説明する。
【００１８】
［照明装置の第一実施形態］
図１は、本考案の第一実施形態に係る照明装置の平面図、図２は、本考案の第一実施形態に係る照明装置の正面図、図３は、本考案の第一実施形態に係る照明装置の側面図である。
これらの図に示すように、本考案の第一実施形態に係る照明装置１Ａは、対面配置された二台の机２の境界部分に設置される門型のスタンドフレーム１０と、スタンドフレーム１０に取り付けられて二台の机２の上を照らす光源２０と、を備えるものであって、スタンドフレーム１０は、机２の天板３の部分から立ち上がる左右一対の支柱部材３０と、支柱部材３０の上端部間に架設される梁部材４０と、梁部材４０に沿うように直管形ＬＥＤランプ２１からなる光源２０が取り付けられる光源取り付け部５０と、光源２０を電源に接続する配線６０と、光源２０の点灯／消灯を切換えるスイッチ台７０と、左右の支柱部材３０の下端部にそれぞれ設けられる固定部８０と、を備えている。
【００１９】
支柱部材３０は、スタンドフレーム１０の高さに相当する長さを有するフレーム材料を用いて構成される。例えば、本実施形態の支柱部材３０は、所定の長さに切断した３０×３０ｍｍの角アルミフレームを用いて構成されている。支柱部材３０の長さは、床面を基準とする光源２０の想定高さから、机２の天板３の高さを引いた寸法であり（例えば、９００ｍｍ）、支柱部材を床面から立上げる場合と比べて大幅に短くすることができる。また、本実施形態で用いる角アルミフレームは、長さ方向に沿う溝を４面に有しており、この溝が配線６０の通し溝として利用される。
【００２０】
梁部材４０は、スタンドフレーム１０の左右の内幅に相当する長さを有するフレーム材料を用いて構成される。例えば、本実施形態の梁部材４０は、支柱部材３０と同じフレーム材料を用いて構成されており、その長さは、机２の天板３の左右幅を基準として決定される（例えば、１３４０ｍｍ）。なお、梁部材４０の左右の端部は、支柱部材３０の上端部に対して連結部材３１及び補強部材３２を介して強固に連結される。
【００２１】
なお、照明装置における支柱部材３０や梁部材４０等は、アルミ材で製造するだけでなく、繊維強化樹脂などで成形して製造することもできる。
【００２２】
光源取り付け部５０は、梁部材４０に沿って直管形ＬＥＤランプ２１を支持可能に構成される。例えば、本実施形態の光源取り付け部５０は、直管形ＬＥＤランプ２１の両端部を挟持状に支持する左右一対のクリップ部材５１を用いて構成されており、このクリップ部材５１を梁部材４０の前面及び後面にそれぞれ一組ずつ設けることにより、梁部材４０の前面及び後面に沿って二本の直管形ＬＥＤランプ２１が取り付けられるようになっている。
【００２３】
直管形ＬＥＤランプ２１としては、周方向の全域から照射するタイプと、周方向の所定の領域から照射するタイプがある。本実施形態の照明装置１Ａでは、いずれのタイプも使用可能であるが、後者を使用する場合は、梁部材４０の前面と後面に取り付けられる直管形ＬＥＤランプ２１が、対面配置された二台の机２の上を照らすように取付角度の調整を行う。
【００２４】
配線６０は、スイッチ台７０を介して、直管形ＬＥＤランプ２１を電源に接続している。スイッチ台７０は、例えば、左右いずれか一方の支柱部材３０に取り付けられ、図示しないスイッチの操作に応じて、直管形ＬＥＤランプ２１の点灯／消灯を切り換える。
【００２５】
図４は、本考案の第一実施形態に係る照明装置の固定部を示す拡大図であり、（ａ）は拡大平面図、（ｂ）は拡大側面図である。
この図に示すように、固定部８０は、対面配置された二台の机２のうち、一方の机２の天板３の端部に固定される第一固定部８１と、他方の机２の天板３の端部に固定される第二固定部８２と、を一体的に備える。なお、固定部８０は、支柱部材３０の下端部に対してボルト３３及び補強部材３４を介して強固に連結される。
【００２６】
第一固定部８１は、一方の机２の天板３の端部を上下から挟むクランプ式の固定部である。具体的には、当該天板３の端部上面に沿う上片８１ａと、当該天板３の端部下面に沿う下片８１ｂと、上片８１ａと下片８１ｂを連結する連結片８１ｃとを一体的に備え、上片８１ａに螺合する第一調整ネジ８３の締め込み操作に応じて、天板３の端部を上下から挟み込むように構成されている。なお、上片８１ａと下片８１ｂの間隔は、一般的な事務机の天板の厚み（例えば、１６〜３４ｍｍ）を基準として決定される（例えば、５１ｍｍ）。
【００２７】
第一調整ネジ８３は、第一固定部８１の上片８１ａに溶着されるナット８４に上方から螺合し、上端部にある操作部８３ａの回し操作に応じて上下方向に進退移動する。第一調整ネジ８３の下端部には、天板３の上面に当接する皿状の当接部材８３ｂが設けられており、この当接部材８３ｂと下片８１ｂとの間で天板３の端部を挟み込むようになっている。なお、第一調整ネジ８３は、緩み防止用のナット８３ｃを備え、ナット８４とのダブルナット作用により、第一調整ネジ８３の緩みを防止する。
【００２８】
第二固定部８２は、他方の机２の天板３の端部に上方から係合する係合式の固定部である。具体的には、当該天板３の上面に沿う上片８２ａを備え、該上片８２ａに螺合する第二調整ネジ８５の締め込み操作に応じて、当該天板３の端部に上方から係合するように構成されている。
【００２９】
第二調整ネジ８５は、第二固定部８２の上片８２ａに溶着されるナット８６に上方から螺合し、上端部にある操作部８５ａの回し操作に応じて上下方向に進退移動する。第二調整ネジ８５の下端部には、天板３の上面に当接する皿状の当接部材８５ｂが設けられており、この当接部材８５ｂを介して天板３の上面に係合するようになっている。
【００３０】
つぎに、照明装置１Ａの設置手順について説明する。ただし、既に一般的な事務机が対面配置されたオフィスに、机の移動を最小限として照明装置１Ａを設置する場合を想定する。
【００３１】
既に対面配置された二台の机２の境界部分に照明装置１Ａのスタンドフレーム１０を設置する場合、まず、いずれかの机２を動かして二台の机２の天板３の間に隙間をあける。つぎに、スタンドフレーム１０を持ち、その下端部にある第一固定部８１の下片８１ｂを、上記隙間に上方から挿し込むとともに、一方の机２側にスライドさせて、一方の机２の天板３の端部下面に沿わせる。つぎに、第一固定部８１の第一調整ネジ８３の操作部８３ａを天板３の上側から回し操作し、第一調整ネジ８３の当接部材８３ｂと下片８１ｂとの間で天板３の端部を挟み込む。これにより、第一固定部８１が一方の机２の天板３の端部に固定される。なお、第一調整ネジ８３による締め込み操作は、二台の机２を寄せた後に行ってもよい。
【００３２】
つぎに、天板３の間の隙間がなくなるように二台の机２を寄せる。このとき、第一固定部８１の連結片８１ｃが二台の机２の天板３の間に挟まれ、第一固定部８１の外れ方向の変位が規制されるとともに、第二固定部８２の上片８２ａが他方の机２の天板３の上面に沿う。つぎに、第二固定部８２の第二調整ネジ８５の操作部８５ａを天板３の上側から回し操作し、第二調整ネジ８５の当接部材８５ｂを天板３の上面に突っ張り状態で当接させる。以上の手順により照明装置１Ａ（スタンドフレーム１０）の設置が完了する。
【００３３】
以上のように構成された本実施形態の照明装置によれば、特定の机と組み合わせなくても、対面配置された二台の机２の境界部分に設置することができるだけでなく、長尺な支柱部材や大型の脚ベースを不要とし、装置の小型化及びコストダウンを図ることができる。
【００３４】
また、第一固定部８１は、天板３の端部を上下から挟むクランプ式の固定部とし、第二固定部８２は、天板３の端部に上方から係合する係合式の固定部としたので、一方の机２の天板３の端部にクランプ式の第一固定部８１で固定しつつ、他方の机２の天板３の端部に第二固定部８２を係合させてスタンドフレーム１０の対面方向の倒れを防止することができる。しかも、第一固定部８１及び第二固定部８２をいずれもクランプ式にする場合に比べ、構造が簡略になるだけでなく、二台の机２における天板３の高さや厚みの違いを容易に吸収することができる。
【００３５】
また、第一固定部８１は、天板３の端部の上面に沿う上片８１ａと、天板３の端部の下面に沿う下片８１ｂと、上片８１ａと下片８１ｂを連結する連結片８１ｃとを一体的に備え、連結片８１ｃが、二台の机２の天板３の間に挟まれるようにしたので、第一固定部８１の外れ方向の変位を他方の机２を利用して規制することができる。しかも、二台の机２の天板３の間には、連結片８１ｃのみが挟まれるので、支柱部材を挟む場合のように、二台の机２の間に大きな隙間が生じることもない。
【００３６】
また、第一固定部８１の第一調整ネジ８３及び第二固定部８２の第二調整ネジ８５は、操作部８３ａ、８５ａが天板３よりも上側に配置され、その操作を天板３の上側から行なうことができるので、机２の下に潜り込む作業を減らし、設置時や調整時の作業性を向上させることができる。
【００３７】
［照明装置の第二実施形態］
つぎに、本考案の第二実施形態に係る照明装置１Ｂについて、図５〜図７を参照して説明する。ただし、前記実施形態と共通する部分については、前記実施形態と同じ符号を用いることにより、前記実施形態の説明を援用する。
【００３８】
図５は、本考案の第二実施形態に係る照明装置の平面図、図６は、本考案の第二実施形態に係る照明装置の正面図、図７は、本考案の第二実施形態に係る照明装置の側面図である。
これらの図に示すように、本考案の第二実施形態に係る照明装置１Ｂは、光源取り付け部５０が、主に下方を照らす下方照明用の直管形ＬＥＤランプ２１が取り付けられる第一光源取り付け部５２と、主に上方を照らす上方照明用の直管形ＬＥＤランプ２２が取り付けられる第二光源取り付け部５３と、を備える点が前記実施形態と相違している。
【００３９】
本実施形態では、第一光源取り付け部５２や第二光源取り付け部５３として、直管形ＬＥＤランプ２１、２２を取り付け可能な汎用の光源取り付け機器５４、５５を用いており、第一光源取り付け部５２は、梁部材４０の左右両端部から前後方向に延出する補助フレーム５６と、左右の補助フレーム５６間に下向き状態で並列状に架設される二つの光源取り付け機器５４（傘あり）と、を備えて構成され、第二光源取り付け部５３は、梁部材４０の上面に上向き状態で取り付けられる一つの光源取り付け機器５５（傘なし）を備えて構成されている。
【００４０】
以上のように構成された第二実施形態の照明装置１Ｂによれば、光源取り付け部５０が、主に下方を照らす下方照明用の直管形ＬＥＤランプ２１が取り付けられる第一光源取り付け部５２と、主に上方を照らす上方照明用の直管形ＬＥＤランプ２２が取り付けられる第二光源取り付け部５３と、を備えるので、机２の上だけでなく、天井も照らすことができ、その結果、天井照明の廃止や削減を促進することができる。
【００４１】
［照明システム］
つぎに、本考案の実施形態に係る照明システムについて、図８を参照して説明する。ただし、前記実施形態と共通する部分については、前記実施形態と同じ符号を用いることにより、前記実施形態の説明を援用する。
【００４２】
図８は、本考案の実施形態に係る照明システムの一例を示す概略正面図である。
この図に示すように、本考案の実施形態に係る照明システムは、対面配置された二台の机２が、対面方向と直交する方向に複数並ぶ机配置において、対面配置された二台の机２の境界部分に、それぞれ前記実施形態の照明装置１Ａ、１Ｂを設置し、複数の照明装置１Ａ、１Ｂを、対面方向と直交する方向に直列状に配置した構成としてある。
【００４３】
また、図８に示すように、直列状に配置される複数の照明装置１Ａ、１Ｂは、下方照明用の直管形ＬＥＤランプ２１及び上方照明用の直管形ＬＥＤランプ２２を備える照明装置１Ｂ（第一照明装置）と、下方照明用の直管形ＬＥＤランプ２１のみを備える照明装置１Ａ（第二照明装置）と、を含み、上方照明ありの照明装置１Ｂが、上方照明なしの照明装置１Ａを挟んで間欠的に配置される構成としてある。
なお、本実施形態では、上方照明ありの照明装置１Ｂが、上方照明なしの照明装置１Ａを挟んで一つおきに間欠させているが、照明装置を設置する場所の条件に応じて、二つ以上間欠させることもできる。
【００４４】
以上のように構成された実施形態の照明システムによれば、机２の上だけでなく、天井も照らすことができるので、天井照明の廃止や削減を促進することができる。しかも、上方照明ありの照明装置１Ｂは、上方照明なしの照明装置１Ａを挟んで間欠的に配置されるので、すべてを上方照明ありの照明装置１Ｂとする場合に比べてコストを削減できるだけでなく、設置場所に応じて照明装置１Ｂと照明装置１Ａの比率を変更し、上方照明の照度を最適化することができる。
【００４５】
以上、本考案について、実施形態を示して説明したが、本考案は、上述した実施形態にのみ限定されるものではなく、実用新案登録請求の範囲内で種々の変更が可能であることは言うまでもない。
【産業上の利用可能性】
【００４６】
本考案は、対面配置された机の境界部分に設置される門型のスタンドフレームを備えた照明装置及び照明システムに適用され、特に、多くの机が対面配置されるオフィスの照明装置や照明システムに好適に用いることができる。
【符号の説明】
【００４７】
１Ａ、１Ｂ  照明装置
２  机
３  天板
１０  スタンドフレーム
２０  光源
２１、２２  直管型ＬＥＤランプ
３０  支柱部材
４０  梁部材
５０  光源取り付け部
５２  第一光源取り付け部
５３  第二光源取り付け部
８０  固定部
８１  第一固定部
８１ａ  上片
８１ｂ  下片
８１ｃ  連結片
８２  第二固定部
８３  第一調整ネジ
８３ａ  操作部
８５  第二調整ネジ
８５ａ  操作部
【図１】
0003177398.tif 000003
【図２】
0003177398.tif 000004
【図３】
0003177398.tif 000005
【図４】
0003177398.tif 000006
【図５】
0003177398.tif 000007
【図６】
0003177398.tif 000008
【図７】
0003177398.tif 000009
【図８】
0003177398.tif 000010